【手続補正書】
【提出日】平成18年3月22日(2006.3.22)
【手続補正１】
【補正対象書類名】明細書
【補正対象項目名】特許請求の範囲
【補正方法】変更
【補正の内容】
【特許請求の範囲】
【請求項１】  洗濯液中へ移行した染料の再沈殿を防止する方法であって、
式（１）：
【化１】
2000054256.tif 000001
（式中、
ｎは、０、１、２又は３であり、
ｍは、１、２又は３であり、
Ａは、アニオンであり；
Ｙは、直鎖若しくは分岐鎖の式−〔Ｃ（Ｒ5)2〕ｒ−（ここで、ｒは、１〜８の整数であり、そしてＲ5基は、互いに独立して、水素又はＣ1−Ｃ4アルキルである）のアルキレン基、−ＣＸ＝ＣＸ−（ここで、Ｘは、シアノ、直鎖若しくは分岐鎖のＣ1−Ｃ8アルキル又はジ（直鎖若しくは分岐鎖のＣ1−Ｃ8アルキル）−アミノである）、−（ＣＨ2)q−ＮＲ4−（ＣＨ2)q−（ここで、Ｒ4は、水素又は直鎖若しくは分岐鎖のＣ1−Ｃ4アルキルであり、そしてｑは、１、２、３又は４である）であるか、又は下記式：
【化２】
2000054256.tif 000002
の１，２−シクロヘキシレン基のいずれか、又は下記式：
【化３】
2000054256.tif 000003
（上記式中、
Ｒ9は、ＳＯ3Ｈ、ＣＨ2ＯＨ又はＣＨ2ＮＨ2である）
の１，２−アリーレン基のいずれかであり、
Ｒ及びＲ１は、互いに独立して、シアノ、ハロゲン、ＯＲ5若しくはＣＯＯＲ5（ここで、Ｒ5は、水素又は直鎖若しくは分岐鎖のＣ1−Ｃ4アルキルである）、又はニトロ、直鎖若しくは分岐鎖のＣ1−Ｃ8アルキル、直鎖若しくは分岐鎖の、かつ部分的にフルオロ若しくはペルフルオロ化Ｃ1−Ｃ8アルキル、ＮＨＲ6若しくはＮＲ6Ｒ7（ここで、Ｒ6及びＲ7は、同一若しくは異なり、かつそれぞれ直鎖若しくは分岐鎖のＣ1−Ｃ12アルキルであるか、又はＲ6とＲ7は、それらを結合する窒素原子と一緒になって、５−、６−若しくは７−員環（それらは、ヘテロ原子を更に含んでいてもよい）を形成する）、又は直鎖若しくは分岐鎖のＣ1−Ｃ8アルキル−Ｒ8（ここで、Ｒ8は、上記の意味を有する、ＯＲ5、ＣＯＯＲ5若しくはＮＲ6Ｒ7、又はＮＨ2である）、又は−Ｎ+Ｒ4Ｒ6Ｒ7（ここで、Ｒ4、Ｒ6及びＲ7は、上記と同義である）であり、
Ｒ2及びＲ3は、互いに独立して、水素、直鎖若しくは分岐鎖のＣ1−Ｃ4アルキル又は非置換アリール、あるいはシアノ、ハロゲン、ＯＲ5若しくはＣＯＯＲ5（ここで、Ｒ5は、水素又は直鎖若しくは分岐鎖のＣ1−Ｃ4アルキルである）、又はニトロ、直鎖若しくは分岐鎖のＣ1−Ｃ8アルキル、ＮＨＲ6若しくはＮＲ6Ｒ7（ここで、Ｒ6及びＲ7は、同一若しくは異なり、かつ上記と同義である）、又は直鎖若しくは分岐鎖のＣ1−Ｃ8アルキル−Ｒ8（ここで、Ｒ8は、上記の意味を有する、ＯＲ5、ＣＯＯＲ5若しくはＮＲ6Ｒ7、又はＮＨ2である）、又は−Ｎ+Ｒ4Ｒ6Ｒ7（ここで、Ｒ4、Ｒ6及びＲ7は、上記と同義である）で置換されているアリールであるが、ただし
ｎ及びｍが同一であるならば、Ｒ及びＲ1は、同じ意味を有さない）で示される１種以上の化合物０．５〜１５０mgを、洗濯液１リットル当たりに含む過酸化物含有洗剤を含む洗濯液に加えることを特徴とする方法。
【請求項２】  アニオンＡが、ハライド、ペルクロラート、スルファート、ニトラート、ヒドロキシド、ＢＦ4-、ＰＦ6-、カルボキシラート、トリフラート又はトシラートである、請求項１記載の方法。
【請求項３】  Ｙが、式−（ＣＨ2)r−（ここで、ｒは、１〜８の整数である）又は式−Ｃ（Ｒ5)2−（ＣＨ2)p−Ｃ（Ｒ5)2−（ここで、ｐは、０〜６の数であり、そしてＲ5は、水素又はＣ1−Ｃ4アルキルである）の基である、請求項１又は２記載の方法。
【請求項４】  ｎ及び／又はｍが、１であり、そしてＲ及び／又はＲ1が、ニトロ及びＣＯＯＲ5を除いて上記と同義であり、かつそれぞれのベンゼン環の４位に位置している、請求項１〜３のいずれか１項記載の方法。
【請求項５】  ｎ及び／又はｍが、１であり、そしてＲ及び／又はＲ1が、ニトロ又はＣＯＯＲ5であり、かつそれぞれのベンゼン環の５位に位置し、そしてＲ5が、水素又は直鎖若しくは分岐鎖のＣ1−Ｃ4アルキルである、請求項１〜４のいずれか１項記載の方法。
【請求項６】  Ｒ及びＲ1が、ニトロ、ＯＲ5、ＣＯＯＲ5又はＮ（Ｒ5）2（ここで、Ｒ5は、水素又はＣ1−Ｃ4アルキル、特に、メチル又はエチルである）である、請求項１〜５のいずれか１項記載の方法。
【請求項７】  式（１ａ）：
【化４】
2000054256.tif 000004
（式中、
ｎは、０、１、２又は３であり、
ｍは、１、２又は３であり、
Ａは、アニオンであり；
Ｙは、直鎖若しくは分岐鎖の式−〔Ｃ（Ｒ5)2〕ｒ−（ここで、ｒは、１〜８の整数であり、そしてＲ5基は、互いに独立して、水素又はＣ1−Ｃ4アルキルである）のアルキレン基、−ＣＸ＝ＣＸ−（ここで、Ｘは、シアノ、直鎖若しくは分岐鎖のＣ1−Ｃ8アルキル又はジ（直鎖若しくは分岐鎖のＣ1−Ｃ8アルキル）−アミノである）、−（ＣＨ2)q−ＮＲ4−（ＣＨ2)q−（ここで、Ｒ4は、上記と同義であり、そしてｑは、１、２、３又は４である）であるか、又は下記式：
【化５】
2000054256.tif 000005
の１，２−シクロヘキシレン基のいずれか、又は下記式：
【化６】
2000054256.tif 000006
（上記式中、
Ｒ9は、ＳＯ3Ｈ、ＣＨ2ＯＨ又はＣＨ2ＮＨ2である）
の１，２−アリーレン基のいずれかであり、
Ｒ及びＲ１は、互いに独立して、シアノ、ハロゲン、ＯＲ5若しくはＣＯＯＲ5（ここで、Ｒ5は、水素又は直鎖若しくは分岐鎖のＣ1−Ｃ4アルキルである）、又はニトロ、直鎖若しくは分岐鎖のＣ1−Ｃ8アルキル、直鎖若しくは分岐鎖の、かつ部分的にフルオロ若しくはペルフルオロ化Ｃ1−Ｃ8アルキル、ＮＨＲ6若しくはＮＲ6Ｒ7（ここで、Ｒ6及びＲ7は、同一若しくは異なり、かつそれぞれ直鎖若しくは分岐鎖のＣ1−Ｃ12アルキルであるか、又はＲ6とＲ7は、それらと結合する窒素原子と一緒になって、５−、６−若しくは７−員環（それらは、ヘテロ原子を更に含んでいてもよい）を形成する）、又は直鎖若しくは分岐鎖のＣ1−Ｃ8アルキル−Ｒ8（ここで、Ｒ8は、上記の意味を有する、ＯＲ5、ＣＯＯＲ5若しくはＮＲ6Ｒ7、又はＮＨ2である）、又は−Ｎ+Ｒ4Ｒ6Ｒ7（ここで、Ｒ4、Ｒ6及びＲ7は、上記と同義である）であり、
Ｒ2及びＲ3は、互いに独立して、水素、直鎖若しくは分岐鎖のＣ1−Ｃ4アルキル又は非置換アリール、あるいはシアノ、ハロゲン、ＯＲ5若しくはＣＯＯＲ5（ここで、Ｒ5は、水素又は直鎖若しくは分岐鎖のＣ1−Ｃ4アルキルである）、又はニトロ、直鎖若しくは分岐鎖のＣ1−Ｃ8アルキル、ＮＨＲ6若しくはＮＲ6Ｒ7（ここで、Ｒ6及びＲ7は、同一若しくは異なり、かつそれぞれ直鎖若しくは分岐鎖のＣ1−Ｃ12アルキルであるか、又はＲ6とＲ7は、それらに結合する窒素原子と一緒になって、５−、６−若しくは７−員環（それらは、ヘテロ原子を更に含んでいてもよい）を形成する）、又は直鎖若しくは分岐鎖のＣ1−Ｃ8アルキル−Ｒ8（ここで、Ｒ8は、上記の意味を有する、ＯＲ5、ＣＯＯＲ5若しくはＮＲ6Ｒ7、又はＮＨ2である）、又は−Ｎ+Ｒ4Ｒ6Ｒ7（ここで、Ｒ4、Ｒ6及びＲ7は、上記と同義である）で置換されているアリールであるが、ただし
ｎ及びｍが同一であり、かつＲ2及びＲ3が両方水素であるならば、Ｒ及びＲ1は、同じ意味を有さず、かつＲ2及びＲ3のうち、一方が水素であり、他方がフェニルである場合はない）で示される化合物。
【請求項８】  式（２）：
【化７】
2000054256.tif 000007
（式中、
Ｒ、Ｒ1、Ｒ2、Ｒ3、Ｙ、ｎ及びｍは、式（１ａ）と同義である）で示される化合物。
【請求項９】  請求項８記載の式（２）の化合物を製造する方法であって、
まず、式Ｈ2Ｎ−Ｙ−ＮＨ2のジアミンを、式（３）：
【化８】
2000054256.tif 000008
のアルデヒド又はケトンと反応させ、次いで式（４）：
【化９】
2000054256.tif 000009
（上記式中、
Ｒ、Ｒ1、Ｒ2、Ｒ3、ｎ及びｍは、式（１ａ）と同義である）のアルデヒド又はケトンと反応させることを特徴とする方法。
【請求項１０】  下記式：
【化１０】
2000054256.tif 000010
の化合物又は下記式：
【化１１】
2000054256.tif 000011
の化合物。
【請求項１１】  １）アニオン界面活性剤Ａ）及び／又は非イオン界面活性剤Ｂ）５〜９０％、２）ビルダー物質Ｃ）５〜７０％、３）過酸化物Ｄ）０．１〜３０％及び４）請求項１記載の式（１）の化合物Ｅ）０．００５〜２％（ここで、パーセントは、洗剤の全重量に基づいての重量％である）を含む洗剤。
【請求項１２】  ポリビニルピロリドン０．０５〜５重量％、特に０．２〜１．７重量％を、更に含む、請求項１１記載の洗剤。
【請求項１３】  ＴＡＥＤ０．０５〜５重量％、特に０．２〜１．７重量％を、更に含む、請求項１１又は１２記載の洗剤。
【請求項１４】  式（１）の化合物を、相当する類似の対称マンガン錯体、すなわち（Ｒ)n及び（Ｒ1)mが同一である式（１）の化合物と一緒に用いる、請求項１記載の方法。